(57)【要約】【課題】映像コンテンツを編集する必要なく好みのダイジェスト映像の再生を容易に行うことのできる再生装置を提供する。【解決手段】再生装置１００は、ユーザインターフェース部１０１、ダイジェスト情報の管理を行うダイジェスト情報管理部１０７、再生部１０８、映像を表示する表示部１０９、ダイジェスト情報の選択等を行うリモコン１１０を備える。前記ユーザインタフェース部１０１は、記録メディア１２０の読み取りを行う読取部１０２、記録メディア１２０からダイジェスト情報の読取を行うダイジェスト情報読取部１０３、ダイジェスト情報の表示を行う表示部１０４、再生を要求するコンテンツの選択を行う選択部１０５、ダイジェスト情報からダイジェスト再生を要求するダイジェスト情報の選択を行うダイジェスト情報選択部１０６を備える。【選択図】  図１
2005011392.tif 000002
【特許請求の範囲】
【請求項１】
デジタル著作物であるコンテンツファイルが記録された記録媒体を読み込んで当該コンテンツファイルの再生を行う再生装置であって、
前記記録媒体には前記コンテンツファイルの固有番号ごとに、内容を要約したダイジェスト情報を記載した第１ファイルが記録され、
前記再生装置は、
前記第１ファイルから前記ダイジェスト情報を読み込む読込手段と、
前記読込手段において読み込まれた前記ダイジェスト情報に基づいて前記コンテンツファイルのダイジェスト再生を行う再生手段と
を備えることを特徴とする再生装置。
【請求項２】
前記ダイジェスト情報には、前記コンテンツファイルにおける再生開始位置情報及び再生終了位置情報が含まれ、
前記再生手段は、前記読込手段において読み込まれた前記再生開始位置情報及び再生終了位置情報を用いてダイジェスト再生を行う
ことを特徴とする請求項１記載の再生装置。
【請求項３】
前記ダイジェスト情報には、前記ダイジェスト情報の属性情報が含まれ、
前記再生手段は、前記読込手段において読み込まれた前記属性情報を用いてダイジェスト再生を行う
ことを特徴とする請求項１記載の再生装置。
【請求項４】
前記再生手段は、前記記録媒体に記録されるコンテンツファイルのダイジェスト情報の前記属性情報が共通である場合においては、前記共通の属性情報に基づいて異なる前記コンテンツファイルのダイジェスト再生を連続的に行う
ことを特徴とする請求項３記載の再生装置。
【請求項５】
前記再生装置は、さらに、
前記第１ファイルに含まれる前記ダイジェスト情報からダイジェスト再生を行うダイジェスト情報の選択を行う選択手段を備え、
前記再生手段は、前記選択手段において選択されたダイジェスト情報に基づいてダイジェスト再生を行う
ことを特徴とする請求項１記載の再生装置。
【請求項６】
前記再生装置は、さらに、
前記読取手段において読み取られるダイジェスト情報の表示を行う表示手段と、
ユーザ入力を介してダイジェスト情報の入力を行う入力手段とを備え、
前記選択手段は、前記入力手段を介して前記表示手段に表示されるダイジェスト情報の中からのユーザ選択、又は予め定められているユーザ設定に従ってダイジェスト再生を行うダイジェスト情報の選択を行う
ことを特徴とする請求項５記載の再生装置。
【請求項７】
前記再生装置は、さらに、
前記読込手段で読み込まれた前記ダイジェスト情報を記憶するダイジェスト情報記憶手段を備え、
前記選択手段は、前記記憶手段に記憶されているダイジェスト情報からダイジェスト再生を行うダイジェスト情報を選択する
ことを特徴とする請求項５記載の再生装置。
【請求項８】
前記属性情報には、前記ダイジェスト情報のジャンルに関する情報、前記ダイジェスト情報の出演者に関する情報、前記ダイジェスト情報のキーワードに関する情報、前記ダイジェスト情報の場所名、地名に関する情報、前記ダイジェスト情報の作成者に関する情報の少なくとも１つ以上が含まれる
ことを特徴とする請求項３記載の再生装置。
【請求項９】
前記属性情報には、前記ダイジェスト情報の有無に関する情報、前記ダイジェスト情報の種類に関する情報、前記ダイジェスト情報の総再生時間に関する情報の少なくとも１つ以上が含まれる
ことを特徴とする請求項３記載の再生装置。
【請求項１０】
前記読込手段は、前記第１ファイルに複数のダイジェスト情報が記録されている場合においては、前記属性情報に基づいてダイジェスト再生を行う順序を特定する
ことを特徴とする請求項３記載の再生装置。
【請求項１１】
前記再生装置は、さらに、
ネットワークを介して前記ダイジェスト情報の提供を行うサーバ装置と接続される通信手段を備え、
前記通信手段は、検索条件に従って前記サーバ装置より提供される前記ダイジェスト情報を検索して、前記検索条件に適した前記ダイジェスト情報がある場合においては、前記サーバ装置よりダウンロードし、
前記再生手段は、前記通信手段においてダウンロードした前記ダイジェスト情報に基づいてダイジェスト再生を行う
ことを特徴とする請求項１記載の再生装置。
【請求項１２】
デジタル著作物であるコンテンツファイル及び当該コンテンツファイルに関連する情報が記載されたデータファイルを記録媒体に記録する記録装置であって、
前記コンテンツファイルの内容を要約したダイジェスト情報を作成する作成手段と、
前記作成手段において作成された前記ダイジェスト情報を前記記録媒体に記録する記録手段と
を備えることを特徴とする記録装置。
【請求項１３】
前記作成手段は、前記コンテンツファイルの固有番号ごとに前記ダイジェスト情報が記載された第１ファイルを作成し、
前記記録手段は、前記第１ファイルを前記記録媒体に記録する
ことを特徴とする請求項１２記載の記録装置。
【請求項１４】
前記記録装置は、さらに、
ユーザ入力を介して前記ダイジェスト情報の入力を行う入力手段を備え、
前記作成手段は、前記入力手段の入力に従って前記ダイジェスト情報を作成する
ことを特徴とする請求項１２記載の記録装置。
【請求項１５】
前記ダイジェスト情報には、前記コンテンツファイルにおける再生開始位置情報及び再生終了位置情報が含まれる
ことを特徴とする請求項１２記載の記録装置。
【請求項１６】
前記ダイジェスト情報には、当該ダイジェスト情報の属性情報が含まれる
ことを特徴とする請求項１２記載の記録装置。
【請求項１７】
前記属性情報には、前記ダイジェスト情報のジャンルに関する情報、前記ダイジェスト情報の出演者に関する情報、前記ダイジェスト情報のキーワードに関する情報、前記ダイジェスト情報の場所名、地名に関する情報、前記ダイジェスト情報の作成者に関する情報の少なくとも１つ以上が含まれる
ことを特徴とする請求項１６記載の記録装置。
【請求項１８】
前記属性情報には、前記ダイジェスト情報の有無に関する情報、前記ダイジェスト情報の種類に関する情報、前記ダイジェスト情報の総再生時間に関する情報の少なくとも１つ以上が含まれる
ことを特徴とする請求項１６記載の記録装置。
【請求項１９】
前記記録装置は、さらに、
前記作成手段において作成されたダイジェスト情報を記憶する記憶手段を備え、
前記記録手段は、前記記憶手段に記憶されている前記ダイジェスト情報を前記記録媒体に記録する
ことを特徴とする請求項１２記載の記録装置。
【請求項２０】
前記記録装置は、さらに、
ネットワークを介して前記ダイジェスト情報の提供を行うサーバ装置と接続される通信手段を備え、
前記通信手段は、検索条件に従って前記ダイジェスト情報を前記サーバ装置から検索して、前記検索条件に適した前記ダイジェスト情報がある場合においては、前記サーバ装置よりダウンロードし、
前記記録手段は、前記通信手段においてダウンロードした前記ダイジェスト情報を前記記録媒体に記録する
ことを特徴とする請求項１２記載の記録装置。
【請求項２１】
デジタル著作物であるコンテンツファイルが記録された記録媒体を読み込んで前記コンテンツファイルの再生を行う再生装置に用いられるプログラムであって、
前記記録媒体には前記コンテンツファイルの固有番号ごとに、内容を要約したダイジェスト情報を記載した第１ファイルが記録され、
前記再生装置に用いられるプログラムには、
前記第１ファイルから前記ダイジェスト情報を読み込む読込ステップと、
前記読込ステップにおいて読み込まれた前記ダイジェスト情報に基づいて前記コンテンツファイルのダイジェスト再生を行う再生ステップとをコンピュータに実行させる
ことを特徴とするプログラム。
【請求項２２】
デジタル著作物であるコンテンツファイル及び当該コンテンツファイルに関連する情報が記載されたデータファイルを記録媒体に記録する記録装置に用いられるプログラムであって、
前記コンテンツファイルの内容を要約したダイジェスト情報を作成する作成ステップと、
前記作成ステップにおいて作成された前記ダイジェスト情報を前記記録媒体に記録する記録ステップとをコンピュータに実行させる
ことを特徴とするプログラム。
【請求項２３】
デジタル著作物であるコンテンツファイル及び当該コンテンツファイルに関連する情報が記載されたデータファイルが記録される記録媒体であって、
前記データファイルには、前記コンテンツファイルの固有番号ごとの前記コンテンツファイルの内容を要約したダイジェスト情報が記載された第１ファイルが含まれる
ことを特徴とする記録媒体。
【請求項２４】
前記ダイジェスト情報には、前記コンテンツファイルにおける再生開始位置情報及び再生終了位置情報が含まれる
ことを特徴とする請求項２３記載の記録媒体。
【請求項２５】
前記ダイジェスト情報には、当該ダイジェスト情報のジャンルに関する情報、前記ダイジェスト情報の出演者に関する情報、前記ダイジェスト情報のキーワードに関する情報、前記ダイジェスト情報の場所名、地名に関する情報、前記ダイジェスト情報の作成者に関する情報の少なくとも１つ以上が含まれる
ことを特徴とする請求項２３記載の記録媒体。
【発明の詳細な説明】
【０００１】
【発明の属する技術分野】
本発明は、記録媒体にファイル情報の記録を行う記録装置、及び記録媒体を用いてコンテンツファイルの再生を行う再生装置に関し、特に、コンテンツファイルのダイジェスト情報を用いる記録装置及び再生装置に関するものである。
【０００２】
【従来の技術】
従来、ＤＶＤ等の記録媒体、ハードディスク等に容量の大きなコンテンツファイル、巨大な動画ファイル等が記録されるため、再生装置側においては記録されているコンテンツファイルの内容を簡単に知るためにダイジェスト映像の再生が行われている。
【０００３】
このダイジェスト映像を生成する方法としては、再生装置側においてシーンの内容を説明する事象情報が付加された映像から、その事象情報に基づいて映像を編集して、あらかじめ保存している映像コンテンツに対して、シーンのフレーム抽出作業を行い、新たな映像コンテンツを作成することでダイジェスト映像とする。また、記録装置側においては映像コンテンツの記録媒体への記録時に、事象情報の中にユーザの嗜好情報を表すようなラベルに関する情報を記録することで、再生装置側ではこのラベル情報を読み出すことによりユーザの好みのダイジェスト映像を作成することも可能となる。
【０００４】
そして、従来のダイジェスト映像作成方法として、利用者の嗜好を反映したダイジェスト映像を作成可能な映像ダイジェスト作成方法が提示されている（例えば、特許文献１参照。）。
【０００５】
この映像ダイジェスト作成方法においては、パーソナルなダイジェスト映像を作成する際に、シーン抽出ルールに従って映像のイベント情報及びスキーマ情報と呼ばれる属性情報を参照して映像の意味的な区間を抽出して、特徴量計算手続きを用いて抽出された映像の意味的な区間の特徴量を計算し、計算した特徴量を参照して特徴量の大きい映像の意味的な区間の映像シーンを重要であると判定して特徴量の大きい映像シーンを選択してダイジェスト映像を作成するものである。また、同時に、特徴量計算手続きによる特徴量の計算の際に各属性に関連付けられたカテゴリの嗜好情報を参照し、対応する嗜好情報の好きな度合いを用いて、特徴量の値を増加又は減少させることができる。
【０００６】
【特許文献１】
特開２００２−２３２８２８号公報
【０００７】
【発明が解決しようとする課題】
しかし、上述したダイジェスト映像の作成においては、利用者の嗜好等に基づいたダイジェスト映像を作成する場合に、その都度、再生装置側において記録媒体に記録されている映像コンテンツを読み込んでシーンのフレーム抽出作業を行い、異なる新たな映像コンテンツを作成する必要がある。このため、再生装置側においては、映像コンテンツの再生機能に加えてダイジェスト映像の編集のための編集機能を持つ必要がある。
【０００８】
また、記録装置側においてダイジェスト映像を作成して記録媒体に記録しておく場合においても、記録装置側がダイジェスト映像を記録媒体に記録する前に映像コンテンツを読み出してダイジェスト映像を編集する機能を持つ必要がある。
【０００９】
本発明は、前記課題を解決するための発明であり、記録媒体を読み込んでコンテンツファイルのダイジェスト映像の再生を行う再生装置において、映像コンテンツを編集することなく、より容易にダイジェスト再生を行うことができる再生装置を提供することを第一の目的とする。
【００１０】
また、コンテンツファイル及びファイル情報を記録する記録装置においても、実際のダイジェスト映像を編集して記録媒体に記録することなく、再生装置側のコンテンツファイルのダイジェスト再生時における処理を向上させるファイル情報を記録可能とすることを第二の目的とする。
【００１１】
【課題を解決するための手段】
前記課題を解決するために、本発明に係る再生装置は、デジタル著作物であるコンテンツファイルが記録された記録媒体を読み込んで当該コンテンツファイルの再生を行う再生装置であって、前記記録媒体には前記コンテンツファイルの固有番号ごとに、内容を要約したダイジェスト情報を記載した第１ファイルが記録され、前記再生装置は、前記第１ファイルから前記ダイジェスト情報を読み込む読込手段と、前記読込手段において読み込まれた前記ダイジェスト情報に基づいて前記コンテンツファイルのダイジェスト再生を行う再生手段とを備えることを特徴とする。
【００１２】
従って、読込手段において読み込んだダイジェスト情報に基づいて各コンテンツファイルのダイジェスト再生を行うことができる。このため、再生装置側のダイジェスト再生処理を軽減できると共に、ユーザの操作性を向上できる。
【００１３】
また、本発明に係る記録装置は、デジタル著作物であるコンテンツファイル及び当該コンテンツファイルに関連する情報が記載されたデータファイルを記録媒体に記録する記録装置であって、前記コンテンツファイルの内容を要約したダイジェスト情報を作成する作成手段と、前記作成手段において作成された前記ダイジェスト情報を前記記録媒体に記録する記録手段とを備えることを特徴とする。また、前記作成手段は、前記コンテンツファイルの固有番号ごとに前記ダイジェスト情報が記載された第１ファイルを作成し、前記記録手段は、前記第１ファイルを前記記録媒体に記録することを特徴とする。
【００１４】
従って、従来のようにダイジェスト映像を作成して記録媒体に記録することなく、記録媒体の複数の映像コンテンツに対するダイジェスト情報をコンテンツファイルの固有番号毎に管理して１つのファイルに記憶させることができ、記録媒体に記録されるデータのメモリ容量を低減できる。
【００１５】
尚、本発明は、上述のような記録装置及び再生装置として実現できるのみではなく、この記録装置及び再生装置が備える手段をステップとする記録方法及び再生方法、また、当該記録方法及び再生方法をコンピュータ等で実現させるプログラムとして実現したり、当該プログラムをＤＶＤ、ＣＤ−ＲＯＭ等の記録媒体や通信ネットワーク等の伝送媒体を介して流通させることができるのは言うまでもない。
【００１６】
【発明の実施の形態】
以下、本発明の実施の形態に係る再生装置及び記録装置について図面を用いて説明する。
本発明に係る再生装置は、例えばＣＤ−ＲＯＭ、ＤＶＤ等の記録メディア、ハードディスク等に記録されているコンテンツファイルを用いて再生を行うＰＣ、ＤＶＤレコーダ、ＣＤプレーヤ、ＤＶＤプレーヤ等である。
【００１７】
（実施の形態１）
図１は、本実施の形態１に係る再生装置１００の機能ブロック図である。この再生装置１００は、記録メディア１２０を読み込んでコンテンツファイルのシーンのフレーム抽出作業を行うことなくユーザの要求するダイジェスト情報の再生を行うことができる。
【００１８】
再生装置１００は、記録メディア１２０を読み込んでダイジェスト情報の表示、選択を行うユーザインターフェース部１０１、ダイジェスト情報の管理を行うダイジェスト情報管理部１０７、コンテンツファイルの再生を行うと共にユーザインタフェース部１０１で選択されたコンテンツファイルのダイジェスト再生を行う再生部１０８、ダイジェスト再生やコンテンツファイルの映像を表示する表示部１０９、ダイジェスト情報の選択、コンテンツファイルの指示等を行うリモコン１１０を備える。
【００１９】
前記ユーザインタフェース部１０１は、記録メディア１２０からファイル情報の読み取りを行う読取部１０２、記録メディア１２０に記録されているメタデータ情報ファイルからダイジェスト情報の読取を行うダイジェスト情報読取部１０３、ダイジェスト情報の表示を液晶モニタ等の画面に行う表示部１０４、ユーザ入力を介して再生を要求するコンテンツの選択を行う選択部１０５、表示部１０４に表示されたダイジェスト情報から再生を要求するダイジェスト情報の選択を行うダイジェスト情報選択部１０６を備える。尚、表示部１０４は、図１においては表示部１０９と分けて表示しているが、本発明においては再生装置１００に１つ設けられる液晶画面等の共通の表示部となることは言うまでもない。
【００２０】
図２は、本実施の形態１に係る記録メディア１２０にコンテンツファイル、メタデータ情報ファイル、また、メタデータ情報ファイル以外にコンテンツ管理、又は再生に必要なファイル情報を記述した管理ファイルが存在する場合においては、それらのファイルの記録を行う記録装置２００の機能ブロック図である。
【００２１】
本実施の形態１に係る記録装置２００は、記録メディア１２０に記録するコンテンツファイルをコンテンツＩＤ毎に管理し、全コンテンツファイルのメタデータ情報を抽出して記録したメタデータ情報ファイルを作成すると共に、当該メタデータ情報ファイルを全コンテンツファイルと同一の記録メディア１２０上に記録する。さらに、記録装置２００は、メタデータ情報ファイルに、各コンテンツファイルのダイジェストを再生する場合に必要な情報、例えば再生開始時間、再生終了時間、嗜好を表すラベル等を予め決められた構造のデータとして記録メディア１２０に記録する。
【００２２】
尚、コンテンツＩＤはコンテンツに付与される固有番号であり、記録メディア１２０上で一意に管理される。記録装置２００でのオーサリング時には、記録されるコンテンツ夫々にコンテンツＩＤが付加され、管理ファイルでのコンテンツの特定に利用される。
【００２３】
図２において記録装置２００は、メタデータ情報ファイル、また、メタデータ情報ファイル以外のファイル情報を記述した管理ファイルの作成を行うファイル情報作成部２０１、ユーザからの選択指示に従ってダイジェスト情報の入力を行うダイジェスト情報入力部２０３、記録メディア１２０に記録されるコンテンツファイルの記録、管理を行うコンテンツ管理部２０４、ＤＶＤ等の記録メディア１２０にコンテンツファイル及びダイジェスト情報が付与されたメタデータ情報ファイルの記録を行うＣＤ−ＲＷドライブ等のファイル記録部２０５を備える。
【００２４】
また、ファイル情報作成部２０１は、ダイジェスト情報入力部２０３からの入力条件等により各コンテンツファイル毎に対応するダイジェスト情報を作成するダイジェスト情報作成部２０２を備える。
尚、ファイル情報作成部２０１において作成される管理ファイルは、コンテンツの実体情報としてコンテンツファイルと再生装置１００においてコンテンツファイルに対するデータアクセスを補充する追加的な情報を含むファイルであり、メタデータ情報ファイルを含み、ファイル情報を管理したファイル郡はアクセラレータファイルと呼ばれる。
【００２５】
尚、本発明の説明におけるメタデータ情報とは、動画等の映像ファイルに関しては、テレビ番組のコンテンツ名、あらすじ等に関するテキスト情報であり、音楽等の音声ファイルに関しては、ＭＰ３ファイル形式におけるＩＤ３タグにある作者名、演奏者、歌詞、コンテンツ名等に関するテキスト情報、アルバムジャケットの写真等に関する画像情報等である。
【００２６】
記録メディア１２０は、ファイル記録部２０５においてコンテンツファイル、メタデータ情報ファイル等が書き込まれる記録媒体であり、具体的には、ＣＤ−Ｒ、ＣＤ−ＲＷ、ＤＶＤ等のデジタルデータの書き込み可能な記録媒体である。また、本実施の形態１におけるコンテンツファイルやメタデータ情報ファイル等は、ＤＶＤ等の記録メディア１２０以外の、より多くのデータを記録できるハードディスク等にも同様のダイジェスト情報の記録を行うことができるのは言うまでもない。
【００２７】
図２に示すように、記録メディア１２０には複数のコンテンツファイルとメタデータ情報ファイル３００等が記録される。そして、記録されるコンテンツファイルはコンテンツＩＤを用いて管理されることとなる。また、例えば、動画像のコンテンツファイルを７時間記録できるＤＶＤ等の記録メディア１２０である場合、１時間のコンテンツファイルをＩＤで管理して７つ記録でき、同時にダイジェスト情報が付加されたメタデータ情報ファイルが記録されることとなる。
【００２８】
図３は、本実施の形態１に係るメタデータ情報ファイル３００のデータ構成図である。本実施の形態１に係るメタデータ情報ファイル３００は、コンテンツのダイジェスト化に関する情報であるダイジェスト情報３０３ｃが記録されていることを特徴とする。また、このメタデータ情報ファイル３００は、例えばバイナリー形式のファイル情報となる。
【００２９】
メタデータ情報ファイル３００には、ヘッダ部３０１及びエントリ部３０２より構成される。ヘッダ部３０１は、エントリ部３０２に格納されているエントリの個数がｎ個である旨を格納している。また、エントリ部３０２に格納されているエントリの個数は記録メディア１２０に記録されるコンテンツファイルの全個数ｎ個に一致している。
【００３０】
エントリ部３０２はエントリ３０３、３０４等を格納している。エントリ３０３には、それぞれ対応するファイルのコンテンツＩＤ３０３ａと、そのコンテンツＩＤ３０３ａが割り当てられたファイルのメタデータ情報３０３ｂと、ダイジェスト情報３０３ｃとを格納している。ダイジェスト情報３０３ｃは、ダイジェスト情報作成部２０２において作成され、メタデータ情報ファイル３００はファイル作成部２０１において作成される。
【００３１】
また、図４は、ダイジェスト情報３０３ｃに記録されるバイナリー形式のデータ構成の一例を示す図である。尚、本図に示すデータ構成は一例であり本実施の形態１に係るダイジェスト情報はこれに限定されるものではない。
【００３２】
各ダイジェスト情報３０３ｃの先頭領域には、そのダイジェスト情報の種類を示すラベル情報４０１が設けられる。このラベル情報４０１は例えば４ビットであり、「００  ０１」ではダイジェスト情報の種類は「ジャンル」であり、「００  １０」ではダイジェスト情報の種類は「キーワード」であり、「０１  ００」ではダイジェスト情報の種類は「出演者」である。
【００３３】
そして、ダイジェスト情報の種類を示すラベル情報４０１の次には８ビットで属性情報４０２が記載されている。例えば、ラベル情報４０１が「ジャンル」であり属性情報４０２が「００  ００  ００  ０１」であれば「野球」を示し、ラベル情報４０１が「出演者」であり属性情報４０２が「０１  ００  ００  ００」であれば「総理大臣」を示すものと定義することができる。また、８ビットを用いて属性情報を表現することにより、２５６通りの情報を有することが可能となる。
【００３４】
さらに、ダイジェスト情報３０３ｃの再生開始ポイントと再生終了ポイントとの時間帯域情報４０３が記述される。例えば、ラベル情報４０１が「ジャンル」、属性情報４０２が「野球」のダイジェスト情報３０３ｃはコンテンツファイルの「０分１０秒〜２分２５秒」となることが記述されている。
【００３５】
図５は、メタデータ情報ファイル３００に様々な情報を示すフラグ５０１等を設けた場合の参考図である。このフラグ５０１等は、記録装置２００側のダイジェスト情報作成部２０２において作成され、再生装置１００のダイジェスト情報読取部１０３において読み取られる。
【００３６】
図５（ａ）に示すように、例えば、ダイジェスト情報の種類が全て同じ場合においては、ヘッダ部３０１にダイジェスト情報の種類を示すフラグ５０１が記録され、またダイジェスト情報の総時間（例えば１０分）を示すフラグ５０２が記録される。
【００３７】
また、例えば各ダイジェスト情報３０３ｃの先頭領域にフラグ情報を記載することも考えられる。図５（ｂ）に示すフラグ５０３はダイジェスト情報の有無を示すフラグ情報であり、フラグ５０４はダイジェスト情報の種類を示す情報、フラグ５０５はダイジェスト情報の総再生時間を示すフラグ等となる。
【００３８】
また、上述したフラグ情報以外に、各コンテンツのダイジェスト情報の有無を格納するフィールド、ダイジェスト情報を有するコンテンツの情報を格納するフィールド、各コンテンツに何の種類のラベル情報があるかを格納するフィールドをメタデータ情報ファイル３００のヘッダ部３０１等の各コンテンツ情報とは違う場所に記録することも考え得る。このようなフラグ情報を用いることにより、複数のコンテンツファイルのダイジェスト情報を１つのメタデータ情報ファイル３００でより効率的に管理することが可能となる。
【００３９】
尚、図６は、従来のメタデータ情報ファイル６００に記録されているデータ情報を示す図である。メタデータ情報ファイル６００はヘッダ部６０１とエントリ部６０２より構成され、エントリ部６０２には、コンテンツファイル毎にコンテンツＩＤ＝１に対応するエントリ６０３、コンテンツＩＤ＝２に対応するエントリ６０４、コンテンツＩＤ＝ｎに対応するエントリ６０５等が記録される。そして、エントリ６０３には、記録メディアに記録されるコンテンツＩＤ６０３ａとメタデータ情報６０３ｂとが記録され、本発明に示すメタデータ情報ファイルのようにダイジェスト情報３０３ｃ等は記録されていない。
【００４０】
図７は、再生装置１００におけるダイジェスト情報の検索画面の一例を示す図である。尚、この画面表示は一例であり本実施の形態１に係る再生装置の再生画面表示はこれに限定されるものではない。
【００４１】
まず、再生装置１００においてコンテンツファイルのダイジェスト再生を視聴する場合には、ユーザは表示部１０４の表示からダイジェスト情報表示を選択する等によりダイジェスト情報表示画面７０１となる。
【００４２】
図７（ａ）に示す画面７０１には、「ダイジェスト情報の種類の選択」を行う画面であり、表示される種類は「ジャンル」、「キーワード」、「出演者」、「場所名・地名」、「ダイジェスト作成者（作成業者）」等となる。次に、再生装置１００のユーザがリモコン１１０等を介して種類の選択を行うことによりダイジェスト情報選択部１０６において種類の選択が行われる。
【００４３】
ユーザが、図７（ａ）に示す画面７０１において種類「ジャンル」を選択した場合、次に図７（ｂ）に示す画面７０２が表示される。画面７０２においては、ジャンルの中の複数の属性情報が表示される。この属性情報は、例えば「野球」、「サッカー」、「ニュース番組」、「映画」である。そして、再生装置１００のユーザはダイジェスト再生を要求する属性情報を選択して「Ｇｏ」のボタンをクリックすることによりダイジェスト再生が行われる。尚、さらに下層のダイジェスト情報の属性情報が記録されている場合の説明は図８において行う。
【００４４】
また、ユーザが図７（ａ）に示す画面７０１において「キーワード」を選択した場合、次に図７（ｃ）に示す画面７０３が表示される。画面７０３では、「キーワードを選択して下さい」と表示された画面において、登録されている複数のキーワード、例えば「ホームランシーン」、「ゴールシーン」、「中村シーン」、「山田シーン」が表示され、これらよりキーワードを選択してダイジェスト再生を開始したり、又は「キーワードを入力してください」の画面においてユーザ自らキーワードを入力してキーワード検索を行った後にダイジェスト再生を行うことができる。そして、ユーザは選択されたダイジェスト再生を希望するキーワードを選択して「Ｇｏ」のボタンをクリックすることによりダイジェスト再生が開始する。
【００４５】
尚、再生装置１００側において設定された複数のラベル種類を選択し、それぞれのダイジェスト情報を時系列的に結合して再生することも考え得る。例えば、画面７０３においてコンテンツファイルが野球の試合であり、「中村シーン」と「山田シーン」との２つのキーワードを選択することで、これらに関連するダイジェスト情報が交互に併せてダイジェスト再生される。このラベルの選択はユーザ選択以外にユーザ設定される条件により再生装置側で自動的に行うことも考え得る。
【００４６】
図８は、図７（ｂ）のジャンル検索画面７０２において「サッカー」に関する属性情報が記録されている場合の画面８０１の参考図である。
ユーザが図７（ｂ）の画面７０２において「サッカー」を選択すると、ジャンル「サッカー」に関連する下層の属性情報が画面８０１に表示される。画面８０１には、例えばコンテンツ１の「ゴールシーン」、「ハーフタイム」、コンテンツ４の「Ａ選手シーン」、「スライディングシーン」がダイジェスト情報として表示され、ユーザはこれらよりダイジェスト再生を行う情報を選択する。
【００４７】
また、全コンテンツファイルに共通のダイジェスト情報が記載されている場合においては、ダイジェスト情報を連続的に再生することを選択できる。画面８０１の「全コンテンツのダイジェスト情報の連続再生」において「ゴールパフォーマンス」を選択して「Ｇｏ」のボタンをクリックすることにより記録メディア１２０に記録されている全てのコンテンツファイルに記録されている「ゴールパフォーマンス」のシーンが連続的にダイジェスト再生される。
【００４８】
また、再生装置１００側の画面表示において、ラベル種類と共にトータル再生時間をも画面に表示することもできる。例えば、画面８０１においてコンテンツ１の「ゴールシーン」のダイジェスト情報の総再生時間は１０分である旨が表示されている。
【００４９】
図９は、本実施の形態１に係る再生装置１００のダイジェスト再生における動作手順を示すフローチャートである。
最初に、再生装置１００のダイジェスト情報読取部１０３において読み取られたダイジェスト情報を表示するか否かの選択を行う（Ｓ９０１）。例えば、ダイジェスト再生することなくコンテンツファイルの再生を開始するような場合においてはダイジェスト再生を行う必要がない（Ｓ９０１でＮ）。
【００５０】
次に、ユーザがダイジェスト情報の表示を行うと選択する場合においては（Ｓ９０１でＹ）、図７（ａ）の画面７０１のようなダイジェスト情報の種類の選択画面が表示される。次に、再生装置１００のユーザはリモコン１１０等を介してダイジェスト情報の種類を選択する（Ｓ９０２）。
【００５１】
また、種類が選択されると、図７（ｂ）に示すような属性情報を選択する画面７０２等が表示され、ユーザはダイジェスト再生を希望する属性情報の選択を行う（Ｓ９０３）。次に、選択部１０５から再生するダイジェスト情報を受信した再生部１０８は、ダイジェスト情報に従ってコンテンツファイルのダイジェスト再生を開始する（Ｓ９０４）。
【００５２】
そして、ユーザは他のダイジェスト再生を行うかの選択を行う（Ｓ９０５）。この選択において他のダイジェスト情報の再生を行わない場合においては（Ｓ９０５でＮ）、そのまま一連のダイジェスト再生処理を終了する。一方、他のダイジェスト情報の再生を行う場合においては（Ｓ９０５でＹ）、再度ダイジェスト情報の種類の選択（Ｓ９０２）以下のステップを行う。
【００５３】
尚、再生装置１００側のダイジェスト再生において、１つのコンテンツファイルに対して複数のダイジェスト情報が存在する場合においては、優先して再生するダイジェスト情報のラベルを予め決めておくことが考え得る。例えば、コンテンツファイルが６月６日の２時間の野球の試合であれば、「ホームランシーン」、「得点シーン」、「三振シーン」の順にダイジェスト情報の優先順位を記述することにより、再生装置１００のダイジェスト情報選択部１０６において優先的にダイジェスト情報を選択してダイジェスト再生が行われる。
【００５４】
図１０は、記録装置２００におけるダイジェスト情報のオーサリング画面１０００の一例を示す図である。
オーサリング画面１０００には、記録メディア１２０に記録されるコンテンツファイルの映像ストリーム１００１と、映像ストリーム１００１の映像の選択箇所を特定するためのカーソル１００２と、当該カーソル１００２の位置における映像を表示する画面１００３と、ユーザがダイジェスト再生開始位置を決定するためのボタンであるダイジェスト再生開始ボタン１００４と、ダイジェスト再生終了ポイントを決定するためのダイジェスト再生終了ボタン１００５と、ダイジェスト情報のラベル情報等の種類を決めるための種類ボタン１００６と、ダイジェスト情報の属性情報を特定するための属性情報ボタン１００７とが表示される。
【００５５】
また、記録装置２００のユーザはコンテンツＩＤ毎に異なるオーサリング画面によりコンテンツファイルのダイジェスト情報の編集を行うことができる。
図１１は、本実施の形態１に係る記録装置２００におけるダイジェスト情報のオーサリング手順を示すフローチャートである。
【００５６】
まず、記録装置２００のユーザはダイジェスト情報入力部２０３を介してコンテンツファイルの指定を行う（Ｓ１１０１）。このコンテンツファイルの指定により図１０に示すようなオーサリング画面１０００が表示される。そして、映像ストリーム１００１のカーソル１００２の位置を選択すると（Ｓ１１０２）、カーソル１００２の位置の静止画が画面１００３に表示される（Ｓ１１０３）。
【００５７】
そして、ユーザはダイジェスト情報入力部２０３を介して映像ストリーム１００１からダイジェスト再生の開始位置を取得する（Ｓ１１０４）。この開始位置の取得はダイジェスト再生開始ボタン１００４をクリックすることにより行う。次に、ダイジェスト再生の終了位置を取得する（Ｓ１１０５）。この特定はダイジェスト再生終了ボタン１００５をクリックすることにより行う。
【００５８】
そして、記録装置２００のユーザはダイジェスト情報の種類を選択する（Ｓ１１０６）。この種類の選択はラベル情報である「ジャンル」、「出演者」、「場所名・地名」等より選択し、キー入力又はリスト選択してラベル付けできる。尚、使用したラベル情報は後述するダイジェスト情報記憶部１３０１に保存することができ、別のコンテンツファイルのダイジェスト情報の作成時に利用できる。
【００５９】
次に、ユーザはダイジェスト情報の属性情報を選択する（Ｓ１１０７）。ダイジェスト情報作成部２０２は、ダイジェスト情報入力部２０３からの入力条件に従ってダイジェスト情報３０３ｃを作成して（Ｓ１１０８）、作成されたダイジェスト情報３０３ｃはファイル情報作成部２０１においてメタデータ情報ファイル３００に記録される。
【００６０】
そして、ユーザが他のコンテンツファイルのオーサリングを続ける場合は、再度コンテンツファイルの指定（Ｓ１１０１）からの処理を行い（Ｓ１１０９でＮ）、オーサリングを完了する場合においては（Ｓ１１０９でＹ）、一連のオーサリング処理を完了する。
【００６１】
尚、記録装置２００におけるオーサリングにおいて、ダイジェスト情報の総再生時間の上限、下限を設定することができる。例えば、各ダイジェスト情報の総再生時間の上限を１５分とすることで、ユーザが開始ポイント、終了ポイントを指定したダイジェスト情報の総再生時間は１５分以下に編集される。また、記録装置２００側において、編集された各ダイジェスト情報のトータル再生時間を自動的に計算して、ダイジェスト情報作成部２０２において決められたメタデータ情報ファイル３００上のフィールドに格納することも考え得る。
【００６２】
以上より、本実施の形態１に係る再生装置１００は、記録メディア１２０に記録されているダイジェスト情報を読み取るダイジェスト情報読取部１０３、ダイジェスト情報の管理を行うダイジェスト情報管理部１０７、複数のダイジェスト情報からユーザの好みのダイジェスト情報の選択を行うことが可能なダイジェスト情報選択部１０６を備える。
【００６３】
従って、再生装置１００は、メタデータ情報ファイル３００のダイジェスト情報を読み取り、これに従って映像コンテンツを再生することで、従来の再生装置側の読み込み動作のように、元の映像コンテンツの情報を順番に読み込んでシーンのフレーム抽出作業を行い、新たな映像をダイジェスト編集する必要がなく、ダイジェスト情報読取部１０３において読み込んだダイジェスト情報をダイジェスト情報選択部１０６において選択する処理のみで各コンテンツファイルのダイジェスト再生を行うことができる。このため、再生装置側のダイジェスト再生処理を軽減できると共に、ユーザの操作性を向上できる。
【００６４】
また、複数のダイジェスト情報をメタデータ情報ファイルにコンテンツＩＤと対応させて記録することにより、複数のコンテンツに渡るダイジェスト映像の再生を行う場合でも、再生装置側では１つのメタデータ情報ファイルを読み込むだけでダイジェスト情報の再生を行うことができ、ダイジェスト再生における処理速度を向上することができると共に、共通のラベル情報が付与されたダイジェスト情報を複数のコンテンツファイルに渡って連続的に再生でき、ユーザの操作性を向上させることができる。
【００６５】
さらに、記録装置２００がユーザからの入力指示に従ってダイジェスト情報の選択を行うダイジェスト情報入力部２０３、及びダイジェスト情報入力部２０３からの入力等に従いラベル情報、属性情報等が付与されたダイジェスト情報を作成するダイジェスト情報作成部２０２を備えることにより、ダイジェスト情報のオーサリング時において、ユーザはコンテンツファイル毎に好みのダイジェスト情報を容易に編集することができる。
【００６６】
また、記録装置２００側においては、従来のようにダイジェスト映像を作成して記録メディア１２０に記録することなく、ＤＶＤ等の記録メディア１２０上の複数の映像コンテンツに対するダイジェスト情報をコンテンツＩＤ毎に管理して１つのメタデータ情報ファイル３００に記憶させる。従って、記録メディア１２０に記録されるデータのメモリ容量を低減できると共に、ダイジェスト情報にラベル情報、属性情報等を記載することで、再生装置１００側におけるダイジェスト情報の編集において様々な条件を用いてダイジェスト編集を行うことが可能となる。
【００６７】
そして、記録装置２００側のオーサリング時にダイジェスト情報の有無等を示すフィールドを設定するようにすることで、再生装置１００側において当該フィールドを参照することにより様々な情報を容易に確認して再生装置１００の動作速度を向上できる。
【００６８】
（実施の形態２）
次に、本発明の他の実施の形態について図１２及び図１３を用いて説明を行う。尚、本実施の形態２においては、再生装置１００はダイジェスト情報管理部１０７においてダイジェスト情報記憶部１２０１を備え、記録装置２００にもダイジェスト情報記憶部１３０１が備えられることを特徴とする。また、上述した実施の形態１に係る再生装置１００及び記録装置２００と同様の構成についての説明は同様のため省略する。
【００６９】
図１２は、本実施の形態２に係る再生装置１００の機能ブロック図を示す。
ダイジェスト情報記憶部１２０１には、ダイジェスト情報読取部１０３において読み取られたダイジェスト情報が記憶される。従って、同一の内容のコンテンツファイルが記録されている記録メディア１２０にダイジェスト情報が記録されていないような場合においても、ダイジェスト情報記憶部１２０１に記録されているダイジェスト情報を用いてダイジェスト再生を行うことが可能となる。
【００７０】
図１３は、本実施の形態２に係る記録装置２００の機能ブロック図を示す。
ダイジェスト情報記憶部１３０１は、ダイジェスト情報作成部２０２において作成されるダイジェスト情報を記録するハードディスク等となる。このように、記録装置２００側においてダイジェスト情報を記憶することにより、ジャンル、人物名等を記録して、次回のダイジェスト情報作成部２０２におけるオーサリング時においてダイジェスト情報記憶部１３０１に記録されているダイジェスト情報をユーザの嗜好情報として利用することが可能となる。
【００７１】
（実施の形態３）
次に、本発明の実施の形態３に係る記録装置２００の機能についての説明を行う。尚、本実施の形態３においては、記録装置２００が通信部１４０１を備え、ネットワークを介してサーバ装置１４０２からダイジェスト情報のダウンロードを行うことを特徴とするものである。
【００７２】
図１４は、本実施の形態３に係る記録装置２００の機能ブロック図である。尚、上述した実施の形態１に係る記録装置２００と同様の構成については詳細な説明は省略する。
通信部１４０１は、ネットワークを介してダイジェスト情報の管理を行っているサーバ装置１４０２に接続され、ユーザからの要求等の指示を行うダイジェスト情報入力部２０３からの検索条件をネットワークを介してサーバ装置１４０２に送信すると共に、サーバ装置１４０２から選択されたダイジェスト情報を受信する。
【００７３】
サーバ装置１４０２は、ネットワークを介して記録装置２００の通信部１４０１と接続され、受信した検索条件に適したダイジェスト情報の検索等を行うダイジェスト情報管理部１４０３と、各コンテンツファイルの複数のダイジェスト情報を保持するダイジェスト情報記憶部１４０４とを備える。
【００７４】
記録装置２００のユーザは、例えばコンテンツ「Ａ映画」のダイジェスト情報のオーサリングを行う場合においては、自らダイジェスト情報入力部２０３を介してダイジェスト情報を編集する以外に、通信部１４０１を介してサーバ装置１４０２に記録されている「Ａ映画」に関連するダイジェスト情報を検索画面から選択しダウンロードすることによりダイジェスト情報を取得できる。
【００７５】
また、通信部１４０１は、ダイジェスト情報をネットワークを介してサーバ装置１４０２から取得する場合においては、ファイル情報作成部２０１にダイジェスト情報を渡し、ファイル情報作成部２０１においてメタデータ情報ファイル３００に記録され、ファイル記録部２０５において記録メディア１２０に記録される。
【００７６】
尚、通信部１４０１は、編集対象のコンテンツファイルのダイジェスト情報をネットワーク上で検索してサーバ装置１４０２から複数見つかった場合には、全てのダイジェスト情報を結合、又は取得元のデータ情報とユーザ情報などを用いて最適な情報を抽出するかを選択できるようにしても良い。
【００７７】
そして、再生装置１００側において、同じラベル種類のダイジェスト情報も取得元の特定のサーバ装置１４０２に限定して再生するか、全てのサーバ装置１４０２から取得したダイジェスト情報を再生するかを選択できるようにしても良い。
【００７８】
また、記録装置２００は、同じラベル種類のダイジェスト情報であっても取得元であるサーバ装置１４０２が異なる場合には、取得元であるサーバ装置１４０２の情報もメタデータ情報ファイルに記録するようにしても良い。
図１５は、本実施の形態３の記録装置２００においてダイジェスト情報が編集される映像ストリーム１５００を示す説明図である。
【００７９】
図１５（ａ）は、例えば昨日放送された５時間のニュース番組の映像ストリーム１５００であり、記録装置２００において記録メディア１２０上に記録されるコンテンツである。
【００８０】
そして、記録装置２００のユーザはニュース番組である映像ストリーム１５００から好みのダイジェスト情報の編集を行う。尚、映像ストリーム１５００のニュース番組にはスポーツ、政治、天気等に関する映像が含まれ、ユーザはこれら情報をダイジェスト再生するものとする。
【００８１】
最初に、ユーザはダイジェスト情報入力部２０３を介して上述したオーサリング作業により自らダイジェスト情報の編集を行う。図１５（ａ）に示す映像ストリーム１５００には３種類のジャンルのダイジェスト情報の編集が行われ、ジャンル「スポーツ」は黒丸印、「政治」は黒三角印、「天気」は黒四角印の位置に記録されている映像であることを示している。
【００８２】
そして、本実施の形態３に係る記録装置２００においては、ユーザが自らオーサリングする以外に、通信部１４０１を介してサーバ装置１４０２からダイジェスト情報をダウンロードを行うことができる。まず、通信部１４０１はサーバ装置１４０２上を検索して当該ニュース番組に関連するダイジェスト情報を検索し、該当する検索結果を取得できる場合においては、ネットワークを介してサーバ装置１４０２からダイジェスト情報をダウンロードする。図１５（ａ）において、ネットワークを介して取得したダイジェスト情報には（※）マークが付記されており、３箇所のダイジェスト情報をネットワーク上からダウンロードしたことを示している。
【００８３】
図１５（ｂ）は、タデータ情報ファイル３００に記録されるダイジェスト情報の内容を示すテーブル１５０１である。ダイジェスト情報作成部２０２は、テーブル１５０１に記載されているジャンルや時間帯域といった情報をバイナリー形式のダイジェスト情報として作成し、ファイル情報作成部２０１においてメタデータ情報に記述される。
【００８４】
以上の説明より、本実施の形態３に係る記録装置２００は、ネットワークを介してダイジェスト情報の提供を行うサーバ装置１２０２と接続される通信部１４０１を備える。このため、通信部１４０１を介してユーザの好みのコンテンツファイルのダイジェスト情報が検索される場合においては、サーバ装置１４０２側で作成されたダイジェスト情報を記録装置２００側にダウンロードすることが可能となる。
【００８５】
また、記録装置２００のユーザは、通信部１４０１を介して好みのコンテンツファイルに対するお奨めのダイジェスト情報をネットワーク上のサーバ装置１４０２や、他のコンテンツファイルの利用者が編集したダイジェスト情報をネットワークで接続されたＰＣ等から取得して、ダイジェスト情報として記録メディア１２０に記録する。このため、記録メディア１２０を用いる再生装置１００側において、１つのコンテンツファイルに対して様々なダイジェスト情報を用いた再生が提供でき、コンテンツファイルの再生方法のバリエーションを拡げることが可能となる。
【００８６】
尚、再生装置１００にサーバ装置と接続される通信部を設け、当該通信部を介して好みのダイジェスト情報をダウンロードして、ダイジェスト再生をすることも考え得る。従って、記録メディア１２０にダイジェスト情報が記録されていないような場合においても、コンテンツを特定するだけで再生装置１００でも通信部を介してダイジェスト情報を取得してダイジェスト再生を行うことが可能となり、ユーザの利便性を向上させることが可能となる。
【００８７】
【発明の効果】
以上の説明から明らかなように、本発明に係る再生装置は、従来の再生装置側の読み込み動作のように、元の映像コンテンツの情報を読み込んでダイジェスト編集する必要がなく、１つのメタデータ情報ファイルを読み込むだけで、ダイジェスト情報の選択、再生を行うことができ、再生装置側の処理速度を向上させることができる。
【００８８】
また、複数のコンテンツに渡るダイジェスト映像の再生を行う場合でも、再生装置側では１つのメタデータ情報ファイルを読み込むだけで複数のコンテンツファイルを連続的にダイジェスト再生してダイジェスト再生におけるユーザの利便性を向上させることができる。
【００８９】
また、記録装置においては、ダイジェスト情報のオーサリング時において、ユーザの好みのコンテンツファイルのダイジェスト情報を容易に編集することができユーザの操作性を向上させ、また、ダイジェスト情報をコンテンツＩＤにより管理して１つのメタデータ情報ファイルに記録することによりダイジェスト情報におけるメモリ容量を低減できる。
【図面の簡単な説明】
【図１】実施の形態１に係る再生装置の機能ブロック図である。
【図２】実施の形態１に係る記録装置の機能ブロック図である。
【図３】実施の形態１に係るメタデータ情報ファイルのデータ構成図である。
【図４】ダイジェスト情報に記録されるバイナリー形式のデータ構成の一例を示す図である。
【図５】メタデータ情報ファイルにダイジェスト情報の様々な情報を示すフラグ等を設けた場合の参考図である。
【図６】従来のメタデータ情報ファイルに記録されているデータ情報を示す図である。
【図７】実施の形態１に係る再生装置におけるダイジェスト情報の検索画面の一例を示す図である。
【図８】ジャンル検索画面において「サッカー」に関する更なるダイジェスト情報が記録されている場合の画面の参考図である。
【図９】実施の形態１に係る再生装置のダイジェスト再生における動作手順を示すフローチャートである。
【図１０】実施の形態１に係る記録装置におけるダイジェスト情報のオーサリング画面の一例を示す図である。
【図１１】実施の形態１に係る記録装置におけるダイジェスト情報のオーサリング手順を示すフローチャートである。
【図１２】実施の形態２に係る再生装置の機能ブロック図を示す。
【図１３】実施の形態２に係る記録装置の機能ブロック図を示す。
【図１４】実施の形態３に係る記録装置の機能ブロック図である。
【図１５】実施の形態３の記録装置においてダイジェスト情報が編集される映像ストリームを示す説明図である。
【符号の説明】
１００  記録装置
１０１  ユーザインターフェース管理部
１０２  読取部
１０３  ダイジェスト情報読取部
１０４  表示部
１０５  選択部
１０６  ダイジェスト情報選択部
１０７  ダイジェスト情報管理部
１２０  記録メディア
２００  記録装置
２０１  ファイル情報作成部
２０２  ダイジェスト情報作成部
２０３  ダイジェスト情報入力部
２０４  コンテンツ管理部
２０５  ファイル記録部
３００  メタデータ情報ファイル
３０３ｃ  ダイジェスト情報
４０１  ラベル情報
４０２  属性情報
４０３  時間帯域
５０１〜５０５  フラグ
１２０１  ダイジェスト情報記憶部
１３０１  ダイジェスト情報記憶部
１４０１  通信部
１４０２  サーバ装置
１４０３  ダイジェスト情報管理部
１４０４  ダイジェスト情報記憶部
【図１】
2005011392.tif 000003
【図２】
2005011392.tif 000004
【図３】
2005011392.tif 000005
【図４】
2005011392.tif 000006
【図５】
2005011392.tif 000007
【図６】
2005011392.tif 000008
【図７】
2005011392.tif 000009
【図８】
2005011392.tif 000010
【図９】
2005011392.tif 000011
【図１０】
2005011392.tif 000012
【図１１】
2005011392.tif 000013
【図１２】
2005011392.tif 000014
【図１３】
2005011392.tif 000015
【図１４】
2005011392.tif 000016
【図１５】
2005011392.tif 000017